(57)【特許請求の範囲】
【請求項１】
ワイヤレスメディアネットワークであって、
メディアデータパケットをワイヤレスで伝送するためのソースデバイスと、
前記メディアデータを前記ソースデバイスからワイヤレスで受信するための少なくとも１つのシンクデバイスと
を備え、
前記ソースデバイスは、アクティブ登録モードと、クワイエット登録モードと、データモードとを備え、
前記ソースデバイスは、前記アクティブ登録モードにあるとき、登録パケットを伝送し、前記少なくとも１つのシンクデバイスからの応答パケットをリッスンし、
アクティブ登録のための有効応答パケットが、前記少なくとも１つのシンクデバイスから受信された場合、前記ソースデバイスは、前記少なくとも１つのシンクデバイスとの前記データモードに入り、前記メディアデータパケットを前記少なくとも１つのシンクデバイスに伝送し、
前記ソースデバイスは、前記クワイエット登録モードにあるとき、前記少なくとも１つのシンクデバイスからの信号をリッスンし、
前記信号が受信されると、前記ソースデバイスは、前記アクティブ登録モードに入り、
前記アクティブ登録のための有効応答パケットが、前記少なくとも１つのシンクデバイスから受信されない場合、前記ソースデバイスは、登録タイムアウト後、前記クワイエット登録モードに戻り、
前記クワイエット登録モードがディスエーブルにされている場合、前記アクティブ登録のための有効応答パケットが受信されない場合、前記登録タイムアウト後、前記ソースデバイスは、パワーダウン／スリープモードに入り、
前記少なくとも１つのシンクデバイスからの前記信号は、クワイエット登録トリガ閾値を上回るレベルを有する、ある期間にわたる平均ＲＳＳＩを備えている、ワイヤレスメディアネットワーク。
【請求項２】
前記少なくとも１つのシンクデバイスからの前記信号は、少なくとも１つの登録トリガパケットを備えている、請求項１に記載のワイヤレスメディアネットワーク。
【請求項３】
前記少なくとも１つのシンクデバイスからの前記信号は、クワイエット登録トリガ閾値を上回るレベルを有するピークＲＳＳＩを備えている、請求項１に記載のワイヤレスメディアネットワーク。
【請求項４】
前記シンクデバイスは、それらの間にアイドル時間を有する複数の登録トリガパケットを伝送する、請求項１に記載のワイヤレスメディアネットワーク。
【請求項５】
前記複数の登録トリガパケットは、共通ヘッダ、複数の可変ヘッダバイト、および可変サイズ登録トリガペイロードを備えている、請求項４に記載のワイヤレスメディアネットワーク。
【請求項６】
前記共通ヘッダは、パケットタイプおよびペイロードオフセットを備えている、請求項５に記載のワイヤレスメディアネットワーク。
【請求項７】
前記複数の可変ヘッダバイトは、シンクデバイスユニット識別を備えている、請求項５に記載のワイヤレスメディアネットワーク。
【請求項８】
前記可変サイズ登録トリガペイロードは、クワイエット登録シンクトリガパケットペイロードサイズデータベース設定によって決定される、請求項５に記載のワイヤレスメディアネットワーク。
【請求項９】
外部入力が検出されると、前記ソースデバイスが前記クワイエット登録モードを終了することをさらに含む、請求項１に記載のワイヤレスメディアネットワーク。
【請求項１０】
前記外部入力は、アソシエーションボタンの起動である、請求項９に記載のワイヤレスメディアネットワーク。
【請求項１１】
前記外部入力は、遠隔制御キー入力動作の起動である、請求項９に記載のワイヤレスメディアネットワーク。
【請求項１２】
前記外部入力は、シンククワイエット登録トリガパケットの受信である、請求項９に記載のワイヤレスメディアネットワーク。
【請求項１３】
ワイヤレスネットワークに接続し、前記ワイヤレスネットワークの中で動作するように構成されているワイヤレスデバイスであって、前記ワイヤレスデバイスは、第１のモード、第２のモード、および、第３のモードで動作するようにさらに構成され、
前記第１のモードは、データの伝送および受信を可能にするアクティブモードであり、
前記第２のモードは、前記ワイヤレスデバイスが、所定のトークンが受信されるまで、データを受信することのみ可能であるクワイエットモードであり、
前記第３のモードは、前記クワイエット登録モードがディスエーブルにされている場合に、およびアクティブ登録のための有効応答パケットが受信されない場合に登録タイムアウト後に、入るパワーダウン／スリープモードであり、
前記ワイヤレスデバイスは、誤登録トリガパケットの受信後、前記第１のモードに切り替わり、次いで、登録タイムアウト後、前記第２のモードに戻るようにさらに構成されている、ワイヤレスデバイス。
【請求項１４】
前記トークンは、登録トリガパケットである、請求項１３に記載のワイヤレスデバイス。
【請求項１５】
前記登録トリガパケットは、登録トリガペイロードが後に続く可変ヘッダが後に続く共通ヘッダを備えている、請求項１４に記載のワイヤレスデバイス。
【請求項１６】
前記登録トリガパケットは、有効Ｋｌｅｅｒ（登録商標）登録トリガパケットである、請求項１４に記載のワイヤレスデバイス。
【請求項１７】
前記トークンは、登録トリガチャネルにおける、クワイエット登録トリガ閾値を上回るピークレベルまたは平均ＲＳＳＩレベルの検出を提供する、請求項１３に記載のワイヤレスデバイス。
【請求項１８】
前記第２のモードにあるとき、前記ワイヤレスデバイスは、クワイエット登録トリガチャネル上の受信機として構成され、前記第１のモードに切り替わるための前記登録トリガパケットを待つ、請求項１４に記載のワイヤレスデバイス。
【請求項１９】
パケットベースの伝送ネットワークのためのワイヤレスプロトコルであって、前記ワイヤレスプロトコルは、アクティブ登録モードとパワーダウン／スリープモードとクワイエット登録モードとの間で切り替わることをワイヤレスデバイスに提供し、
前記アクティブ登録モードは、データの伝送および受信を可能にし、
前記クワイエット登録モードにおいて、前記ワイヤレスデバイスは、所定のトリガパケットが受信されるまで、データを受信することのみ可能であり、
前記パワーダウン／スリープモードは、前記クワイエット登録モードがディスエーブルにされている場合に、およびアクティブ登録のための有効応答パケットが受信されない場合に登録タイムアウト後に、入り、
前記ワイヤレスデバイスは、誤登録トリガパケットの受信後、前記アクティブ登録モードに切り替わり、次いで、登録タイムアウト後、前記クワイエット登録モードに戻るように構成されている、ワイヤレスプロトコル。
【請求項２０】
前記トリガパケットは、登録トリガペイロードが後に続く可変ヘッダが後に続く共通ヘッダを備えている、請求項１９に記載のプロトコル。
【請求項２１】
前記トリガパケットは、有効Ｋｌｅｅｒ（登録商標）登録トリガパケットである、請求項１９に記載のプロトコル。
【請求項２２】
前記トリガパケットは、登録トリガチャネルにおける、クワイエット登録トリガ閾値を上回るピークレベルまたは平均ＲＳＳＩレベルの検出を提供する、請求項１９に記載のプロトコル。
【請求項２３】
前記トリガパケットは、ユニット識別フィールドの使用によって、誤登録トリガのフィルタリングを提供する、請求項１９に記載のプロトコル。
【請求項２４】
ワイヤレスメディアネットワーク内でソースおよびシンクデバイスを一緒に接続する方法であって、前記方法は、
メディアデータをソースデバイスから伝送するステップであって、前記ソースデバイスは、アクティブ登録モードと、クワイエット登録モードと、データモードとを備えている、ステップと、
シンクデバイスを用いて、前記メディアデータを前記ソースデバイスから受信するステップと、
前記アクティブ登録モードにあるとき、アクティブ登録パケットを前記ソースデバイスから伝送するステップと、
前記ソースデバイスを用いて、前記シンクデバイスからの応答パケットをリッスンするステップであって、アクティブ登録のための有効応答パケットが前記シンクデバイスから受信された場合、前記ソースデバイスは、前記シンクデバイスとの前記データモードに入り、前記メディアデータを前記シンクデバイスに伝送する、ステップと、
前記ソースデバイスが前記クワイエット登録モードにあるとき、前記シンクデバイスからのある一定の信号をリッスンするステップと、
ユニット識別子フィールドを使用することによって、誤登録トリガパケットをフィルタリングするステップと、
前記ある一定の信号が前記シンクデバイスから受信されると、前記アクティブ登録モードに戻るステップと、
前記アクティブ登録のための有効応答パケットが前記シンクデバイスから受信されない場合、登録タイムアウト後、前記クワイエット登録モードに戻るステップと、
前記クワイエット登録モードがディスエーブルにされているとき、前記アクティブ登録のための有効応答パケットが受信されない場合、前記登録タイムアウト後、前記ソースデバイスをパワーダウン／スリープモードの状態にするステップと
を含み、
前記シンクデバイスからの前記ある一定の信号は、クワイエット登録トリガ閾値を上回るレベルを有する、ある期間にわたる平均ＲＳＳＩを備えている、方法。
【請求項２５】
前記ある一定の信号は、正しいユニット識別フィールドを有する有効信号を備えている、請求項２４に記載の方法。
【請求項２６】
前記ある一定の信号は、十分に強い信号を備えている、請求項２４に記載の方法。
【発明の詳細な説明】
【技術分野】
【０００１】
（関連出願）
本願は、共有に係る米国仮特許出願第６１／９８４，０９２号（２０１４年４月２５日出願）に対する優先権を主張し、上記出願は、あらゆる目的のために参照により本明細書に援用される。
【０００２】
（技術分野）
本開示は、ワイヤレス技術に関し、より具体的には、特に、自動車および家庭用エンターテインメントワイヤレスネットワークにおける種々のデバイスのワイヤレス共存を改善する方法およびシステムに関する。
【背景技術】
【０００３】
Ｍｉｃｒｏｃｈｉｐ  Ｔｅｃｈｎｏｌｏｇｙ  Ｉｎｃｏｒｐｏｒａｔｅｄ  Ｋｌｅｅｒ（登録商標）無線周波数（ＲＦ）技術等のワイヤレスデバイスは、ヘッドホン、スピーカ、および他のオーディオデバイスへのデジタルコンテンツの高品質の短待ち時間ワイヤレス配信を可能にし、消費者の聴音経験を向上させる。これらのワイヤレスデバイスは、例えば、限定ではないが、家庭用エンターテインメントおよび自動車用途において使用され得る。ワイヤレス環境内の種々のワイヤレスデバイスの共存は、最近になって、自動車および家庭用エンターテインメント環境における大きな懸念となりつつある。
【０００４】
ワイヤレスデバイスは、家庭用または車両内のメディアシステムへのその接続を開始するための登録／ページングモードを有し、これは、高デューティサイクル伝送をもたらし、他のワイヤレスデバイスに干渉し得る。常時オンであるデバイス（例えば、自動車ヘッドユニットワイヤレスメディアソース）では、ワイヤレスデバイス伝送は、長期間続くか、または継続的にオンであり得る。これらのワイヤレスデバイスは、概して、Ｗｉ−Ｆｉ（登録商標）、Ｂｌｕｅｔｏｏｔｈ（登録商標）、およびＫｌｅｅｒ（登録商標）送受信機によっても使用される、２．４ＧＨｚ  ＩＳＭ帯域内またはその近傍のＲＦ伝送を使用する。複数のＲＦチャネルが使用され得るが、干渉およびワイヤレスデバイス動作低下が、複数のワイヤレスデバイスが同時に一緒に使用されているとき、生じ得る。Ｋｌｅｅｒ（登録商標）は、Ｍｉｃｒｏｃｈｉｐ  Ｔｅｃｈｎｏｌｏｇｙ  Ｉｎｃｏｒｐｏｒａｔｅｄの登録商標であり、Ｗｉ−Ｆｉ（登録商標）は、Ｗｉ−Ｆｉ  Ａｌｌｉａｎｃｅの登録商標であり、Ｂｌｕｅｔｏｏｔｈ（登録商標）は、Ｂｌｕｅｔｏｏｔｈ（登録商標）  ＳＩＧの登録商標である。
【発明の概要】
【課題を解決するための手段】
【０００５】
したがって、全て一緒に正しく動作し得るように、ワイヤレスデバイス間の改良された共存の必要性がある。
【０００６】
ある実施形態によると、ワイヤレスメディアネットワークは、メディアデータパケットをワイヤレスで伝送するためのソースデバイスと、メディアデータをソースデバイスからワイヤレスで受信するための少なくとも１つのシンクデバイスとを備え得、ソースデバイスは、アクティブ登録モードと、クワイエット登録モードと、データモードとを備え、ソースデバイスは、アクティブ登録モードにあるとき、登録パケットを伝送し、応答パケットを少なくとも１つのシンクデバイスからリッスンし、アクティブ登録のための有効応答パケットが、少なくとも１つのシンクデバイスから受信された場合、ソースデバイスは、少なくとも１つのシンクデバイスとデータモードに入り、メディアデータパケットをそこに伝送し、ソースデバイスは、クワイエット登録モードにあるとき、信号を少なくとも１つのシンクデバイスからリッスンし、信号が受信され得ると、ソースデバイスは、アクティブ登録モードに入り、アクティブ登録のための有効応答パケットは、少なくとも１つのシンクデバイスから受信されない場合、ソースデバイスは、登録タイムアウト後、クワイエット登録モードに戻る。
【０００７】
さらなる実施形態によると、クワイエット登録モードが、ディスエーブルにされ、次いで、ソースデバイスは、アクティブ登録のための有効応答パケットが受信されない場合、登録タイムアウト後、パワーダウン／スリープモードに入るであろう。さらなる実施形態によると、少なくとも１つのシンクデバイスからの信号は、少なくとも１つの登録トリガパケットを備え得る。さらなる実施形態によると、少なくとも１つのシンクデバイスからの信号は、クワイエット登録トリガ閾値を上回り得るレベルを有する、ピークＲＳＳＩを備え得る。さらなる実施形態によると、少なくとも１つのシンクデバイスからの信号は、クワイエット登録トリガ閾値を上回り得るレベルを有する、ある期間にわたる平均ＲＳＳＩを備え得る。さらなる実施形態によると、シンクデバイスは、その間にアイドル時間を有し得る、複数の登録トリガパケットを伝送し得る。
【０００８】
さらなる実施形態によると、複数の登録トリガパケットは、共通ヘッダと、複数の可変ヘッダバイトと、可変サイズ登録トリガペイロードとを備え得る。さらなる実施形態によると、共通ヘッダは、パケットタイプと、ペイロードオフセットとを備え得る。さらなる実施形態によると、複数の可変ヘッダバイトは、シンクデバイスユニット識別を備え得る。さらなる実施形態によると、可変サイズ登録トリガペイロードは、クワイエット登録シンクトリガパケットペイロードサイズデータベース設定によって決定され得る。さらなる実施形態によると、ソースデバイスは、外部入力が検出されると、クワイエット登録モードを終了し得る。さらなる実施形態によると、外部入力は、アソシエーションボタンの起動であり得る。さらなる実施形態によると、外部入力は、遠隔制御キー入力動作の起動であり得る。さらなる実施形態によると、外部入力は、シンククワイエット登録トリガパケットの受信であり得る。
【０００９】
別の実施形態によると、ワイヤレスデバイスは、ワイヤレスネットワークに接続し、その中で動作するように構成され得、ワイヤレスデバイスはさらに、第１および第２の動作モードで動作するように構成され得、第１のモードは、データの伝送および受信を可能にするアクティブモードであり得、第２のモードは、ワイヤレスデバイスが、所定のトークンが受信されるまで、データの受信のみを行い得る、クワイエットモードであり得る。
【００１０】
さらなる実施形態によると、トークンは、登録トリガパケットであり得る。さらなる実施形態によると、登録トリガパケットは、共通ヘッダと、それに続く可変ヘッダと、それに続く登録トリガペイロードとを備えている。さらなる実施形態によると、登録トリガパケットは、有効Ｋｌｅｅｒ（登録商標）登録トリガパケットであり得る。さらなる実施形態によると、トークンは、クワイエット登録トリガ閾値を上回り得る、登録トリガチャネル上のピークまたは平均ＲＳＳＩレベルの検出を提供し得る。さらなる実施形態によると、本デバイスはさらに、誤登録トリガパケットの受信後、第１の動作モードに切り替わり、次いで、登録タイムアウト後、第２の動作モードに戻るように構成され得る。さらなる実施形態によると、第２の動作モードにあるとき、ワイヤレスデバイスは、クワイエット登録トリガチャネル上の受信機として構成され得、第１の動作モードに切り替わるための登録トリガパケットを待ち得る。
【００１１】
さらに別の実施形態によると、パケットベースの伝送ネットワークのためのワイヤレスプロトコルは、アクティブ登録モードとクワイエット登録モードとの間で切り替わることをワイヤレスデバイスに提供し得、アクティブ登録モードは、データの伝送および受信を可能にし得、クワイエット登録モードにおいて、ワイヤレスデバイスは、所定のトリガパケットが受信され得るまで、データの受信のみを行い得る。
【００１２】
さらなる実施形態によると、トリガパケットは、共通ヘッダと、それに続く可変ヘッダと、それに続く登録トリガペイロードとを備え得る。さらなる実施形態によると、トリガパケットは、有効Ｋｌｅｅｒ（登録商標）登録トリガパケットであり得る。さらなる実施形態によると、トリガパケットは、クワイエット登録トリガ閾値を上回る、登録トリガチャネル上のピークまたは平均ＲＳＳＩレベルの検出を提供し得る。さらなる実施形態によると、トリガパケットは、ユニット識別フィールドの使用によって、誤登録トリガのフィルタリングを提供し得る。
【００１３】
さらに別の実施形態によると、ワイヤレスメディアネットワーク内でソースおよびシンクデバイスを一緒に接続する方法は、メディアデータをソースデバイスから伝送するステップであって、ソースデバイスは、アクティブ登録モードと、クワイエット登録モードと、データモードとを備え得る、ステップと、シンクデバイスを用いて、メディアデータをソースデバイスから受信するステップと、アクティブ登録モードにあるとき、アクティブ登録パケットをソースデバイスから伝送するステップと、ソースデバイスを用いて、シンクデバイスからの応答パケットをリッスンするステップであって、アクティブ登録のための有効応答パケットが、シンクデバイスから受信され得る場合、ソースデバイスは、シンクデバイスとデータモードに入り、メディアデータをそこに伝送する、ステップと、ソースデバイスがクワイエット登録モードであるとき、シンクデバイスからある一定の信号をリッスンするステップと、ユニット識別子フィールドを使用することによって、誤登録トリガパケットをフィルタリングするステップと、ある一定の信号がシンクデバイスから受信されるとき、アクティブ登録モードに戻るステップと、アクティブ登録のための有効応答パケットがシンクデバイスから受信されない場合、登録タイムアウト後、クワイエット登録モードに戻るステップとを含み得る。
【００１４】
本方法のさらなる実施形態によると、ある一定の信号は、正しいユニット識別フィールドを有する有効信号を備え得る。本方法のさらなる実施形態によると、ある一定の信号は、十分に強い信号を備え得る。本方法のさらなる実施形態によると、クワイエット登録モードがディスエーブルにされると、さらに、アクティブ登録のための有効応答パケットが、受信されない場合、登録タイムアウト後、ソースデバイスをパワーダウン／スリープモードにするステップを含み得る。
本発明は、例えば、以下を提供する。
（項目１）
ワイヤレスメディアネットワークであって、
メディアデータパケットをワイヤレスで伝送するためのソースデバイスと、
前記メディアデータを前記ソースデバイスからワイヤレスで受信するための少なくとも１つのシンクデバイスと
を備え、
前記ソースデバイスは、アクティブ登録モードと、クワイエット登録モードと、データモードとを備え、
前記ソースデバイスは、前記アクティブ登録モードにあるとき、登録パケットを伝送し、前記少なくとも１つのシンクデバイスからの応答パケットをリッスンし、
アクティブ登録のための有効応答パケットが、前記少なくとも１つのシンクデバイスから受信された場合、前記ソースデバイスは、前記少なくとも１つのシンクデバイスとの前記データモードに入り、前記メディアデータパケットを前記少なくとも１つのシンクデバイスに伝送し、
前記ソースデバイスは、前記クワイエット登録モードにあるとき、前記少なくとも１つのシンクデバイスからの信号をリッスンし、
前記信号が受信されると、前記ソースデバイスは、前記アクティブ登録モードに入り、
前記アクティブ登録のための有効応答パケットが、前記少なくとも１つのシンクデバイスから受信されない場合、前記ソースデバイスは、登録タイムアウト後、前記クワイエット登録モードに戻る、
ワイヤレスメディアネットワーク。
（項目２）
前記クワイエット登録モードがディスエーブルにされている場合、前記アクティブ登録のための有効応答パケットが受信されない場合、前記登録タイムアウト後、前記ソースデバイスがパワーダウン／スリープモードに入るであろうことをさらに含む、項目１に記載のワイヤレスメディアネットワーク。
（項目３）
前記少なくとも１つのシンクデバイスからの前記信号は、少なくとも１つの登録トリガパケットを備えている、項目１に記載のワイヤレスメディアネットワーク。
（項目４）
前記少なくとも１つのシンクデバイスからの前記信号は、クワイエット登録トリガ閾値を上回るレベルを有するピークＲＳＳＩを備えている、項目１に記載のワイヤレスメディアネットワーク。
（項目５）
前記少なくとも１つのシンクデバイスからの前記信号は、クワイエット登録トリガ閾値を上回るレベルを有する、ある期間にわたる平均ＲＳＳＩを備えている、項目１に記載のワイヤレスメディアネットワーク。
（項目６）
前記シンクデバイスは、それらの間にアイドル時間を有する複数の登録トリガパケットを伝送する、項目１に記載のワイヤレスメディアネットワーク。
（項目７）
前記複数の登録トリガパケットは、共通ヘッダ、複数の可変ヘッダバイト、および可変サイズ登録トリガペイロードを備えている、項目６に記載のワイヤレスメディアネットワーク。
（項目８）
前記共通ヘッダは、パケットタイプおよびペイロードオフセットを備えている、項目７に記載のワイヤレスメディアネットワーク。
（項目９）
前記複数の可変ヘッダバイトは、シンクデバイスユニット識別を備えている、項目７に記載のワイヤレスメディアネットワーク。
（項目１０）
前記可変サイズ登録トリガペイロードは、クワイエット登録シンクトリガパケットペイロードサイズデータベース設定によって決定される、項目７に記載のワイヤレスメディアネットワーク。
（項目１１）
外部入力が検出されると、前記ソースデバイスが前記クワイエット登録モードを終了することをさらに含む、項目１に記載のワイヤレスメディアネットワーク。
（項目１２）
前記外部入力は、アソシエーションボタンの起動である、項目１１に記載のワイヤレスメディアネットワーク。
（項目１３）
前記外部入力は、遠隔制御キー入力動作の起動である、項目１１に記載のワイヤレスメディアネットワーク。
（項目１４）
前記外部入力は、シンククワイエット登録トリガパケットの受信である、項目１１に記載のワイヤレスメディアネットワーク。
（項目１５）
ワイヤレスネットワークに接続し、その中で動作するように構成されているワイヤレスデバイスであって、前記ワイヤレスデバイスは、第１および第２の動作モードで動作するようにさらに構成され、前記第１のモードは、データの伝送および受信を可能にするアクティブモードであり、前記第２のモードは、前記ワイヤレスデバイスが、所定のトークンが受信されるまで、データを受信することのみ可能であるクワイエットモードである、ワイヤレスデバイス。
（項目１６）
前記トークンは、登録トリガパケットである、項目１５に記載のワイヤレスデバイス。
（項目１７）
前記登録トリガパケットは、共通ヘッダと、それに続く可変ヘッダと、それに続く登録トリガペイロードとを備えている、項目１６に記載のワイヤレスデバイス。
（項目１８）
前記登録トリガパケットは、有効Ｋｌｅｅｒ（登録商標）登録トリガパケットである、項目１６に記載のワイヤレスデバイス。
（項目１９）
前記トークンは、登録トリガチャネルにおける、クワイエット登録トリガ閾値を上回るピークレベルまたは平均ＲＳＳＩレベルの検出を提供する、項目１５に記載のワイヤレスデバイス。
（項目２０）
前記デバイスは、誤登録トリガパケットの受信後、前記第１の動作モードに切り替わり、次いで、登録タイムアウト後、前記第２の動作モードに戻るようにさらに構成されている、項目１５に記載のワイヤレスデバイス。
（項目２１）
前記第２の動作モードにあるとき、前記ワイヤレスデバイスは、前記クワイエット登録トリガチャネル上の受信機として構成され、前記第１の動作モードに切り替わるための前記登録トリガパケットを待つ、項目１５に記載のワイヤレスデバイス。
（項目２２）
パケットベースの伝送ネットワークのためのワイヤレスプロトコルであって、前記ワイヤレスプロトコルは、アクティブ登録モードとクワイエット登録モードとの間で切り替わることをワイヤレスデバイスに提供し、前記アクティブ登録モードは、データの伝送および受信を可能にし、前記クワイエット登録モードにおいて、前記ワイヤレスデバイスは、所定のトリガパケットが受信されるまで、データを受信することのみ可能である、ワイヤレスプロトコル。
（項目２３）
前記トリガパケットは、共通ヘッダと、それに続く可変ヘッダと、それに続く登録トリガペイロードとを備えている、項目２２に記載のプロトコル。
（項目２４）
前記トリガパケットは、有効Ｋｌｅｅｒ（登録商標）登録トリガパケットである、項目２２に記載のプロトコル。
（項目２５）
前記トリガパケットは、登録トリガチャネルにおける、クワイエット登録トリガ閾値を上回るピークレベルまたは平均ＲＳＳＩレベルの検出を提供する、項目２２に記載のプロトコル。
（項目２６）
前記トリガパケットは、ユニット識別フィールドの使用によって、誤登録トリガのフィルタリングを提供する、項目２２に記載のプロトコル。
（項目２７）
ワイヤレスメディアネットワーク内でソースおよびシンクデバイスを一緒に接続する方法であって、
メディアデータをソースデバイスから伝送するステップであって、前記ソースデバイスは、アクティブ登録モードと、クワイエット登録モードと、データモードとを備えている、ステップと、
シンクデバイスを用いて、前記メディアデータを前記ソースデバイスから受信するステップと、
前記アクティブ登録モードにあるとき、アクティブ登録パケットを前記ソースデバイスから伝送するステップと、
前記ソースデバイスを用いて、前記シンクデバイスからの応答パケットをリッスンするステップであって、アクティブ登録のための有効応答パケットが前記シンクデバイスから受信された場合、前記ソースデバイスは、前記シンクデバイスとの前記データモードに入り、前記メディアデータを前記シンクデバイスに伝送する、ステップと、
前記ソースデバイスが前記クワイエット登録モードにあるとき、前記シンクデバイスからのある一定の信号をリッスンするステップと、
ユニット識別子フィールドを使用することによって、誤登録トリガパケットをフィルタリングするステップと、
前記ある一定の信号が前記シンクデバイスから受信されると、前記アクティブ登録モードに戻るステップと、
前記アクティブ登録のための有効応答パケットが前記シンクデバイスから受信されない場合、登録タイムアウト後、前記クワイエット登録モードに戻るステップと
を含む、方法。
（項目２８）
前記ある一定の信号は、正しいユニット識別フィールドを有する有効信号を備えている、項目２７に記載の方法。
（項目２９）
前記ある一定の信号は、十分に強い信号を備えている、項目２７に記載の方法。
（項目３０）
前記クワイエット登録モードがディスエーブルにされている場合、前記アクティブ登録のための有効応答パケットが受信されない場合、前記登録タイムアウト後、前記ソースデバイスをパワーダウン／スリープモードにするステップをさらに含む、項目２７に記載の方法。
【図面の簡単な説明】
【００１５】
本開示のより完全な理解は、付随の図面と関連して検討される以下の説明を参照することによって取得され得る。
【００１６】
【図１】図１は、本開示の教示による、ワイヤレスソースおよびシンクデバイスの概略ブロック図を図示する。
【００１７】
【図２】図２は、本開示の具体的例示的実施形態による、ソースクワイエット登録シーケンスの概略図を図示する。
【００１８】
【図３】図３は、本開示の具体的例示的実施形態による、シンククワイエット登録シーケンスの概略図を図示する。
【００１９】
【図４】図４は、本開示の具体的例示的実施形態による、アクティブ登録における遠隔制御キー入力動作の概略図を図示する。
【００２０】
【図５】図５は、本開示の具体的例示的実施形態による、ソースクワイエット登録モード有限状態機械（ＦＳＭ）の概略流れ図を図示する。
【００２１】
【図６】図６は、本開示の具体的例示的実施形態による、登録トリガチャネル上の登録トリガパケット構造の表を図示する。
【００２２】
【図７】図７は、本開示の具体的例示的実施形態による、シンクヘッドホンクワイエット登録モード有限状態機械（ＦＳＭ）の概略流れ図を図示する。
【００２３】
【図８】図８は、本開示の具体的例示的実施形態による、シンク遠隔制御クワイエット登録モード有限状態機械（ＦＳＭ）の概略流れ図を図示する。
【発明を実施するための形態】
【００２４】
本開示は、種々の修正および代替形態を受けるが、その具体的例示的実施形態が、図面に示され、本明細書に詳細に説明される。しかしながら、具体的例示的実施形態の本明細書における説明は、本開示を本明細書に開示される特定の形態に限定するものではなく、対照的に、本開示は、添付の請求項によって定義される全修正および均等物を網羅することを意図することを理解されたい。
【００２５】
本開示の教示によると、家庭用およびポータブル消費者電子機器（ＣＥ）製品におけるワイヤレスオーディオを可能にし、種々の製品およびブランドを横断した相互運用性を特徴とする完全なハードウェアおよびソフトウェアソリューションが提供され得る。ワイヤレス適合製品は、ユーザが、他のワイヤレス製品を認識し、それらとペアを組み、例えば、限定ではないが、複数の音楽ソース、スピーカ、またはヘッドホンにアクセスおよびストリーミングすることを可能にし、多用途かつ包括的プラットフォームをもたらす。
【００２６】
種々の実施形態によると、ワイヤレスデバイスのためのクワイエット（ｑｕｉｅｔ）登録モード特徴が導入され、クワイエット登録モード特徴は、ソースデバイスが、シンクデバイスによって起動されるまで、受信モードに留まることを可能にし、それによって、他のワイヤレスデバイスとの共存を改善する。
【００２７】
ここで図面を参照すると、例示的実施形態の詳細が、図式的に図示される。図面中の同一要素は、同一番号によって表され、類似要素は、異なる小文字添え字を伴う同一番号によって表されるであろう。
【００２８】
図１を参照すると、描写されるのは、本開示の教示による、ワイヤレスソースおよびシンクデバイスのブロック図の概略である。ソースデバイス１０４は、概して、無線周波数（ＲＦ）ワイヤレスチャネル１１０を経由して、エンターテインメントコンテンツをワイヤレスでシンクデバイス１０２に提供するであろう。ソースデバイス１０４は、アンテナ１０８に結合されるＲＦ送受信機１２２を組み込む。シンクデバイス１０２は、アンテナ１０６に結合されるＲＦ送受信機１２０を組み込む。エンターテインメントコンテンツ転送は、電力１１２または１１６を、それぞれ、ソースデバイス１０４またはシンクデバイス１０２に印加することによって、開始され得る。「キー入力」信号１１４または１１８（例えば、デバイス上のプッシュボタン）もまた、ソースデバイス１０４とシンクデバイス１０２との間のエンターテインメントコンテンツ転送を開始するために使用され得る。
【００２９】
図２を参照すると、描写されるのは、本開示の具体的例示的実施形態による、ソースクワイエット登録シーケンスの概略図である。図２は、ソースデバイス１０４におけるクワイエット登録動作の実施例を示す。ソースデバイス１０４が、最初に、電源投入２２０（電力ピン１１２に印加される電力またはＰＵピン１１２ａの起動のいずれかによって）されると、ソースデバイス１０４は、従来のファームウェアロードの登録動作と同様に、アクティブ登録モード２２２ａに入る。アクティブ登録が、登録タイムアウト期間２２４ａ内に成功しない場合、ソースデバイス１０４は、旧来のファームウェアロードにおけるように、スリープまたはパワーダウンする代わりに、クワイエット登録モード２２６ａに入る。
【００３０】
クワイエット登録モード２２６では、ソースデバイス１０４は、受信機として構成され、それをアクティブ登録モード２２２に戻すように切り替えるためのシンクデバイス１０２からの登録トリガパケットを待つ。誤登録トリガパケット２２８を得た場合、図２に示されるように、アクティブ登録モード２２２ｂに切り替わり、次いで、登録タイムアウト２２４ｂ後、クワイエット登録モード２２６ｂに戻るであろう。ＵＩＤ（ユニット識別）もまた、誤トリガを除外するために使用され得ることが想定され、本開示の範囲内である。ソースが、クワイエット登録モード２２６ｂにあり、有効登録トリガ２３２を得る場合、アクティブ登録モード２２２ｃに切り替わり、トリガデバイス１０２を登録するように試みるであろう。登録が成功する場合、ソースデバイス１０４およびシンクデバイス１０２は、データモード２３４に入り、そうでなければ、登録は、再び、タイムアウト２２４ｃし、ソースデバイス１０４は、クワイエット登録モード２２６ｃに戻るであろう。データモード２３４が、何らかの理由から（例えば、シンクデバイス１０２がパワーダウンされる）終了する場合、ソースデバイス１０４は、アクティブ登録２２２ｄに入り、次いで、新しいデータセッションが確立されない場合、登録タイムアウト２２４ｃ期間の終了時に、クワイエット登録２２６ｃに入るであろう。
【００３１】
クワイエット登録モード２２６では、ソースデバイス１０４は、クワイエット登録トリガチャネル上の受信機として構成され、アクティブ登録モード２２２に切り替わるための登録トリガパケットを待つ。登録トリガパケットは、有効登録トリガパケットであり得、有効登録トリガパケットは、ＵＩＤの評価を可能にするか、または単に、ソースデバイス１０４のＲＦ送受信機１２２からのクワイエット登録トリガ閾値を上回る登録トリガチャネル上のピークまたは平均ＲＳＳＩ（受信信号強度インジケーション）レベルの検出を可能にする。クワイエット登録モード２２６にある間に、アソシエーションボタン１１４または１１８が押されるか、またはアソシエーションがＫｌｅｅｒ（登録商標）ＡＣＳＩ（オーディオ制御およびステータスインターフェースプロトコル）コマンドを用いて開始される場合、ソースデバイス１０４は、アソシエーションモードに入るが、アソシエーションが完了またはタイムアウトされると、アクティブ登録モード２２２に戻るであろう。
【００３２】
初期化の間、クワイエットモードディスエーブルデータベース要素が、外部ＥＥＰＲＯＭ（図示せず）から読み取られ、データメモリ（図示せず）内のメモリマップ場所に記憶され得る。クワイエット登録モード２２６に入るために、クワイエットモードディスエーブルデータメモリは、０に設定され得る。クワイエット登録モードにある間、クワイエットモードディスエーブルメモリ場所は、２５ミリ秒毎にポーリングされ、そのステータスをチェックし得る。値が、例えば、何らかの理由から、１に設定されている場合、ソースデバイス１０４は、クワイエット登録モードを終了し、アクティブ登録モード２２２に戻るであろう。
【００３３】
（パケット登録トリガ）
ソースデバイス１０４が、シンク１０２からの登録トリガパケットを検出するように構成される場合、ソースデバイス１０４は、登録トリガチャネル上の受信モードに入り、パケットタイムアウトは、ディスエーブルにされる（例えば、無限に受信モードに留まるであろう）。パケットが検出されると、有効ＵＩＤ（ユニット識別）を伴う有効登録トリガパケットであるかを確認するためにチェックされる。パケットが、有効登録トリガパケットである場合、ソースデバイス１０４は、アクティブ登録モード２２２に入る。パケットが、誤登録トリガパケットである場合、ソースデバイス１０４は、パケットタイムアウトがディスエーブルにされた状態で受信モードに戻り、有効登録トリガパケットを待つ。ソースデバイス１０４が、ある他の理由から（例えば、アソシエーションボタン１１４が押される）、クワイエット登録モード２２６を終了するように強制される場合、ファームウェアは、パケットタイムアウトイネーブルが正しく構成されているか確認する必要があることに留意されたい。
【００３４】
例示的登録トリガパケット構造表が、図６に示される。パケット構造は、２バイトの共通ヘッダ（パケットタイプおよびペイロードオフセットを含む）と、６バイトの可変ヘッダ（シンクＵＩＤを含む）と、可変サイズ登録トリガペイロードとから成り得る。ペイロードサイズは、クワイエット登録シンクトリガパケットペイロードサイズデータベース要素によって決定され得、ランダムデータを含有し得る。
【００３５】
（ピークＲＳＳＩ登録トリガ）
ソースデバイス１０４は、ピークまたは平均ＲＳＳＩ値のいずれかを登録トリガとして使用するように構成されることができる。ピークＲＳＳＩ値のために構成されると、ソースデバイス１０４は、登録トリガチャネル上の受信モードに入らされ、パケットタイムアウトが、ディスエーブルにされる（例えば、無限に受信モードに留まるであろう）。ソースデバイス１０４は、次いで、例えば、限定ではないが、８８μｓ毎にピークＲＳＳＩ値を読み取り得、ピークＲＳＳＩレベルが、クワイエット登録トリガ閾値を上回る場合、ソースは、アクティブ登録モード２２２に入り得る。ソースデバイス１０４が、ある他の理由（例えば、アソシエーションボタン１１４が押される）から、クワイエット登録モード２２６を終了するように強制される場合、ファームウェアは、パケットタイムアウトイネーブルが正しく構成されているかを確認する必要があることに留意されたい。
【００３６】
（平均ＲＳＳＩ登録トリガ）
ソースデバイス１０４が、平均ＲＳＳＩトリガ値のために構成されるとき、ソースデバイス１０４は、登録トリガチャネル上の受信モードに入らされ得、ＲＳＳＩタイムアウトは、例えば、限定ではないが、８８μｓ×クワイエット登録ソースＲＳＳＩタイムアウトデータベース要素の値に設定され得る（例えば、クワイエット登録ソースＲＳＳＩデータベース要素が、０ｘ０２に設定される場合、ソースは、期間２＊８８μｓ〜１７６μｓを使用し、平均ＲＳＳＩ値を生成するであろう）。ソースデバイス１０４受信機は、好ましくは、受信（ＲＸ）ベースバンドが、平均ＲＳＳＩ値が計算された後、ディスエーブルにされ、次いで、再び、好ましくは、別の平均ＲＳＳＩ読み取りを行うための同一ＲＳＳＩタイムアウトを伴って、可能な限り早くイネーブルにされ得るように構成され得る。本プロセスは、クワイエット登録トリガ閾値を上回る平均ＲＳＳＩ値が測定されるか、またはソースデバイス１０４が、ある他の理由（例えば、アソシエーションボタン１１４が押される）から、クワイエット登録モード２２６を終了するように強制されるまで、繰り返され得る。ソースデバイス１０４は、ＲＳＳＩタイムアウト終了毎に平均ＲＳＳＩを読み取り得、平均ＲＳＳＩレベルが、クワイエット登録トリガ閾値を上回る場合、ソースデバイス１０４は、アクティブ登録モード２２２に入り得る。
【００３７】
（誤登録トリガ）
パケット登録トリガを使用するとき、任意の誤パケット検出は、正しいシンクデバイス１０２  ＵＩＤを有していないであろうため、無視される。その結果、ソースデバイス１０４は、有効パケット登録トリガが受信されたときのみ、アクティブ登録モード２２２に入るであろう。
【００３８】
ピークまたは平均ＲＳＳＩ登録トリガを使用するとき、干渉に起因するか、またはソースデバイス１０４に関連付けられていない他のシンクデバイス１０２からである、クワイエット登録トリガ閾値を上回るＲＳＳＩレベルを読み取ることが可能である。これらの場合、ソースデバイス１０４は、誤登録トリガ２２８を有し、次いで、有効シンクデバイス１０２が伝送していない場合でも、アクティブ登録モード２２２に入るであろう。
【００３９】
誤登録トリガ２２８の確率は、長測定時間を伴う平均ＲＳＳＩ登録トリガを使用することによって、低減せらされることができる。しかしながら、長測定時間は、登録を完了するための時間を延長させ、さらに、登録チャネル上の干渉の量を増加させるという点において、欠点がある。
【００４０】
図３を参照すると、描写されるのは、本開示の具体的例示的実施形態による、シンククワイエット登録シーケンスの概略図である。図３は、シンクデバイス１０２におけるクワイエット登録動作の実施例を示す。シンクデバイス１０２が、電源投入された後（電力ピン１１６に印加される電力またはＰＵピン１１６ａの起動のいずれかによって）、クワイエットモードディスエーブルが、例えば、０に設定されている場合、図６に示される表に説明されるように、直ちにクワイエット登録モードに入り、一連の登録トリガパケット３４０を登録トリガチャネル上で伝送する。伝送される登録トリガパケット３４０の数およびこれらのパケット３４０間のアイドル時間３４２間隔は、クワイエット登録シンクトリガ反復およびクワイエット登録シンクトリガ間隔データベース要素によって制御され得る。パケット３４０のペイロードサイズは、クワイエット登録シンクトリガパケットペイロードサイズデータベース要素によって制御され得る。伝送完了後、シンクデバイス１０２は、以前のファームウェアロードの登録動作と同様に、アクティブ登録モード３２２に入る。クワイエットモードディスエーブルが、シンクデバイス１０２が電源投入された後、例えば、１に設定されている場合、任意の登録トリガパケット３４０を伝送せずに、直接、アクティブ登録モード３２２に入り得る。
【００４１】
シンク遠隔制御に対して、登録が成功する場合、データ／タイムド（ｔｉｍｅｄ）モード３３４に入り、アクティブ登録モード２２２にあるソースデバイス１０４を追跡するであろう。キー押下が未決である場合、それは、タイムドモードで送達されるであろう。遠隔デバイス１０２は、遠隔デバイス１０２制御がパワーダウンし、スリープに入るまで、またはソースデバイス１０４がその登録タイムアウト期間２２４の終了に到達しクワイエット登録モード２２６に入るまで、ソースデバイス１０４の追跡を継続するであろう。ソースデバイス１０４が、シンクデバイス１０２制御がパワーダウンする前にクワイエット登録モード２２６に入る場合（図４参照）、シンクデバイス１０２制御は、アンタイムドモードでアクティブ登録３２２に入り得る。シンクデバイス１０２制御が、アクティブ登録モード３２２にあり、キー入力コマンドをボタン押下１１８から受信する場合、電源投入１１６時に送信されたものと同じ一連の登録トリガパケットを送信し、次いで、アクティブ登録モード３２２に戻るであろう。シンクデバイス１０２が、例えば、１に設定されたシンク反復トリガパケットデータベース要素を有する場合、登録タイムアウト終了時にスリープ／パワーダウンに入る代わりに、トリガパケットを再送し、アクティブ登録モード３２２に戻り、このループは、シンクデバイス１０２が、パワーダウンされるまで、またはタイムドデータモードまたはアソシエーションモードに入るまで、継続するであろう。
【００４２】
シンクデバイス１０２は、ソースデバイス１０４上で使用される全信号検出方法（例えば、パケット検出、ＲＳＳＩピーク検出、またはＲＳＳＩ平均検出）に対して、同じ登録トリガパケット３４０を送信し得ることに留意されたい。
【００４３】
シンクヘッドホン１０２に対して、登録が成功する場合、シンクデバイス１０２は、データモード３３４に入るであろう。登録が成功しない場合、シンクヘッドホン１０２は、登録タイムアウト期間の終了時、パワーダウンするか、またはスリープに入るであろう。シンクヘッドホン１０２が、例えば、１に設定されたシンク反復トリガパケットデータベース要素を有する場合、スリープ／パワーダウンする代わりに、トリガパケット３４０を再送し、アクティブ登録モード３２２に戻り、このループは、シンクデバイス１０２が、パワーダウンされるまで、またはデータもしくはアソシエーションモードに入るまで、継続するであろう。
【００４４】
図５を参照すると、描写されるのは、本開示の具体的例示的実施形態による、ソースクワイエット登録モード有限状態機械（ＦＳＭ）の概略流れ図である。ステップ５０２において、ソースデバイス１０４は、電源投入される。ステップ５０４において、電源投入初期化が、行われる。ステップ５０６において、ソースデバイス１０４は、アクティブ登録モードに入る。ステップ５０８において、ソース（ＳＲＣ）登録が、タイムアウトに対してチェックされる。ＳＲＣ登録が、ＳＲＣ登録タイムアウトが生じる前に行われる場合、ソースデバイス１０４は、ステップ５０６に戻り、アクティブ登録モード２２２のままとなる。しかしながら、ステップ５０８において、ＳＲＣ登録がタイムアウトする場合、ステップ５１０において、クワイエット登録がディスエーブルにされているかどうかをチェックする（クワイエットモードディスエーブルメモリ場所をチェックする）。クワイエット登録がディスエーブルにされている場合、ステップ５１２において、ソースデバイス１０４は、スリープ／パワーダウンモードに入るであろう。しかしながら、クワイエット登録がディスエーブルにされていない場合、ステップ５１０において、ソースデバイス１０４は、クワイエット登録モード２２６に戻るであろう。
【００４５】
ステップ５１４において、クワイエット登録モードにある間、クワイエットモードディスエーブルデータベース要素（ビット）が、チェックされ、ディスエーブルにされている場合、アクティブ登録モードステップ５０６に戻る。そうではない場合、ステップ５１８は、登録トリガが受信されたかどうかをチェックする。登録トリガが受信されている場合、ステップ５０６に戻り、アクティブ登録モードになる。登録トリガが受信されていない場合、クワイエット登録モードに留まる。
【００４６】
図７を参照すると、描写されるのは、本開示の具体的例示的実施形態による、シンクヘッドホンクワイエット登録モード有限状態機械（ＦＳＭ）の概略流れ図である。ステップ７３２において、シンクヘッドホン１０２は、電源投入される。ステップ７３４において、電源投入初期化が、シンクヘッドホン１０２のために行われる。ステップ７３６においてクワイエット登録がディスエーブルにされているかどうかをチェックする（クワイエットモードディスエーブルメモリ場所をチェックする）。クワイエット登録がディスエーブルにされている場合、ステップ７４０において、シンクヘッドホン１０２は、アクティブ登録モードステップ７４０に入るであろう。しかしながら、クワイエット登録がディスエーブルにされていない場合、ステップ７３８において、シンクヘッドホン１０２は、登録トリガパケットを伝送するであろう。次いで、ステップ７４０において、シンクヘッドホン１０２は、アクティブ登録モードステップ７４０に入るであろう。ステップ７４２は、シンク登録がタイムアウトしたかどうかを決定する。シンク登録がまだタイムアウトしていない場合、シンク１０２は、ステップ７４０に戻り、シンクヘッドホン１０２は、アクティブ登録モードステップ７４０に留まる。ステップ７４２が、シンク登録がタイムアウトしたと決定すると、ステップ７４４は、シンクヘッドホン１０２が反復トリガパケットを送信すべきかどうかを決定する。トリガパケットが反復されるべきである場合、ステップ７４４は、ステップ７３６に戻り、クワイエットモードディスエーブルが、再び、チェックされる。トリガパケットが、反復される必要がない場合、ステップ７４６において、シンクヘッドホン１０２は、スリープ／パワーダウンモードに入る。
【００４７】
アクティブ登録モードステップ７４０にあるとき、シンクデバイス１０２は、登録プロセスを完了することによって、ステップ７４８において、データモードに入るか、またはデータリンク１１０を喪失することによって、データモードステップ７４８を終了し得る。アクティブ登録モードステップ７４０では、シンクデバイス１０２は、ＡＳＣＩコマンドであるアソシエーションボタン押下１１８を受信することに基づいて、アソシエーションモードステップ７５０に入るか、またはアソシエーションプロセスを完了後、アソシエーションモードを終了し得る。
【００４８】
図８を参照すると、描写されるのは、本開示の具体的例示的実施形態による、シンク遠隔制御クワイエット登録モード有限状態機械（ＦＳＭ）の概略流れ図である。ステップ８３２において、シンク遠隔装置１０２は、電源投入される。ステップ８３４において、電源投入初期化が、シンク遠隔装置１０２のために行われる。ステップ８３６において、クワイエット登録がディスエーブルにされているかどうかをチェックする（クワイエットモードディスエーブルメモリ場所をチェックする）。クワイエット登録がディスエーブルにされている場合、ステップ８４０において、シンク遠隔装置１０２は、アクティブ登録モードステップ８４０に入るであろう。しかしながら、クワイエット登録がディスエーブルにされていない場合、ステップ８３８において、シンク遠隔装置１０２は、登録トリガパケットを伝送するであろう。次いで、ステップ８４０において、シンク遠隔装置１０２は、アクティブ登録モードステップ８４０に入るであろう。ステップ８５２は、キー入力コマンドが生成されたかどうかを決定する。キー入力コマンドが生成された場合、シンク遠隔は、ステップ８３６に戻り、再び、クワイエット登録がディスエーブルにされているかどうかをチェックする（クワイエットモードディスエーブルメモリ場所をチェックする）。しかしながら、キー入力コマンドが生成されていない場合、ステップ８４２は、シンク登録がタイムアウトしたかどうかを決定する。シンク登録がタイムアウトしていない場合、ステップ８４０に戻り、シンク遠隔装置１０２は、アクティブ登録モードステップ８４０に戻る。シンク登録がタイムアウトした場合、ステップ８４４は、トリガパケットがシンク遠隔装置１０２によって反復されるべきかどうか決定する。トリガパケットが反復されるべき場合、ステップ８４４は、ステップ８３６に戻り、クワイエットモードディスエーブルは、再び、チェックされる。トリガパケットが反復される必要がない場合、ステップ８４６において、シンク遠隔装置１０２は、スリープ／パワーダウンモードになる。
【００４９】
アクティブ登録モードステップ８４０にあるとき、シンクデバイス１０２は、登録プロセスを完了することによって、ステップ８５２において、タイムドモードに入るか、またはデータリンク１１０を喪失することによって、タイムドモードステップ８５２を終了し得る。アクティブ登録モードステップ８４０では、シンクデバイス１０２は、ＡＳＣＩコマンドである、アソシエーションボタン押下１１８を受信することに基づいて、アソシエーションモードステップ８５０に入るか、またはアソシエーションプロセスを完了後、アソシエーションモードを終了し得る。
【００５０】
本開示の実施形態が、本開示の例示的実施形態を参照することによって描写、説明、および定義されたが、そのような参照は、本開示の限定を含意するものではなく、そのような限定が推測されるものでもない。開示される主題は、当業者および本開示の利益を有する者に想起されるであろうように、形態および機能における大幅な修正、改変、および均等物が可能である。本開示の描写および説明される実施形態は、実施例にすぎず、本開示の範囲の包括ではない。
【図１】
0006657109.tif 000002
【図２】
0006657109.tif 000003
【図３】
0006657109.tif 000004
【図４】
0006657109.tif 000005
【図５】
0006657109.tif 000006
【図６】
0006657109.tif 000007
【図７】
0006657109.tif 000008
【図８】
0006657109.tif 000009